(57)【要約】  【課題】臨床プロテオーム解析をする際に、微量成分の検出に対して妨害となる過剰な高分子量のタンパク質を取り除かれた溶液を得る。  【解決手段】  血液を原液として精製されたβ２−ミクログロブリン濃度(mg/l)／アルブミン濃度(mg/l)＞０．０００３、β２−ミクログロブリン量が１μｇ以上である事を特徴とする生体成分精製溶液。質量分析、電気泳動、液体クロマトグラフィー等のタンパク質分析に用いられ、高感度の分析が可能となる。  【選択図】      なし【特許請求の範囲】
【請求項１】
下記濃度式を満たす組成である生体成分精製溶液。
β２−ミクログロブリン濃度(mg/l)／アルブミン濃度(mg/l)＞０．０００３
【請求項２】
β２−ミクログロブリン量が０．１μｇ以上である事を特徴とする請求項１記載の生体成分精製溶液。
【請求項３】
血液を原液として精製されたことを特徴とする請求項１記載の生体成分精製溶液。
【請求項４】
生体由来の溶液を原液として精製されたことを特徴とする請求項１記載の生体成分精製溶液。
【請求項５】
タンパク質分析用に用いられることを特徴とする請求項１〜４のいずれか１項記載の生体成分精製溶液。
【請求項６】
タンパク質分析が質量分析、電気泳動、液体クロマトグラフィーであることを特徴とする請求項１〜５のいずれか１項記載の生体成分精製溶液。
【請求項７】
膜分離を含むシステムを用いて精製されたことを特徴とする請求項１〜６のいずれか１項記載の生体成分精製溶液。
【請求項８】
プロテオーム解析用であることを特徴とする請求項１〜７のいずれか１項記載の生体成分精製溶液。
【発明の詳細な説明】
【技術分野】
【０００１】
本発明は生体成分、特にヒトの血液、尿等からの分析用溶液に関する。
【背景技術】
【０００２】
近年、ポストゲノム研究として、プロテオーム解析研究（プロテオミクス）が注目され始めた。遺伝子産物であるタンパク質は遺伝子よりも疾患の病態に直接リンクしていると考えられることから、タンパク質を網羅的に調べるプロテオーム解析の研究成果は診断と治療に広く応用できると期待されている。しかも、ゲノム解析では発見できなかった病因タンパク質や疾患関連因子を多く発見できる可能性が高い。
【０００３】
プロテオーム解析の急速に進展しだしたのは、技術的には質量分析装置（mass spectrometer: MS）による高速構造分析が可能となってきたことが大きく、MALDI-TOF-MS (matrix assisted laser desorption ionization time-of-flight mass spectrometry) 等の実用化によって、ポリペプチドのハイスループット超微量分析が可能となり、従来検出し得なかった微量タンパク質までが同定可能となり、疾患関連因子の探索に強力なツールとなってきている。
【０００４】
プロテオーム解析の臨床応用の第一目的は、疾患によって誘導あるいは消失するバイオマーカータンパク質の発見である。バイオマーカーは、病態に関連して挙動するため、診断のマーカーとなり得るほか、創薬ターゲットとなる可能性も高い。すなわち、プロテオーム解析の成果は、特定遺伝子よりも診断マーカーや創薬ターゲットとなる可能性が高いため、ポストゲノム時代の診断と治療の切り札（エビデンス）技術となり、同定されたバイオマーカーは患者の薬剤応答性評価や副作用発現予測という直接的に患者が享受しえる利益につながることから、いわゆるテーラーメード医療（オーダーメード医療）の推進に大きな役割を果たすといえる。
【０００５】
臨床研究にプロテオーム解析（臨床プロテオミクス）を導入する場合には、大量の検体を迅速、確実に解析することが求められており、しかも臨床検体は微量で貴重なために高分解能・高感度・高機能測定を迅速に行う必要がある。この大きな推進力となったのは質量分析(mass spectrometry)であり、質量分析装置のもつ超高感度でハイスループットの特性の貢献するところが大きい。しかしながら、その手法や機器が急速に改良されてきてはいるものの、プロテオーム解析が臨床現場で簡便かつ迅速に実施できる状況にはまだない。
【０００６】
ヒト・タンパク質は10万種以上とも推定されているが、血清中に含まれるタンパク質だけでも約1万種類にものぼるといわれ、総量としての血清中濃度は約60〜80mg/mLである。血清中の高含量のタンパク質は、アルブミン(分子量66kDa)、免疫グロブリン(150〜190kDa)、トランスフェリン(80kDa)、ハプトグロビン( >85kDa)、リポタンパク質(数100kDa)等であり、いずれも大量( >mg/mL)に存在する。一方、病態のバイオマーカーや病因関連因子と考えられているペプチドホルモン、インターロイキン、サイトカイン等の生理活性タンパク質の多くは、極微量( <ng/mL)にしか存在せず。その含有量比は高分子の高含量成分に比べて、実にnanoからpicoレベルである。タンパク質の大きさという点では、タンパク質全種類の70％以下は分子量60kDa以下であり、上記の極微量なバイオマーカータンパク質はいずれもこの領域に含まれる場合がほとんどである(例えば非特許文献１)。これらのタンパク質は腎臓を通過して尿中に一部排泄されるため、血液のみならず尿を検体として測定することも可能である。
【０００７】
一般的な血清学的検査でプロテオーム解析するには、病因関連の微量成分検出の妨害となる分子量6万以上の高分子成分を除外することがまず必須となる。また、分子量６万以下の成分についてはできるだけ多く回収することが必須となる。
【０００８】
この高分子量タンパク質の分離手段として、現状では高速液体クロマトグラフィー(liquid chromatography: LC) や二次元電気泳動 (2 dimensional-polyacrylamide gel electrophoresis: 2D-PAGE) が用いられているが、これらは、微量のサンプルしか処理できないために、目的とするサンプル量も少なく、ＭＳ分析、２次元電気泳動分析などのタンパク質分析を行っても検出されない場合がある。
【０００９】
この点が解決されると、臨床プロテオーム解析による臨床検査の診断の迅速性は飛躍的に向上すると期待できる。具体的には、効率的に目的タンパク質群を分画・分離できるデバイスがあればよい。
【００１０】
アルブミンを主な対象物質として、すでに実用化されている製品あるいは開示されている技術としては、ブルー色素などのアフィニティーリガンドを固定化した担体（たとえば、日本ミリポア社："Montage Albumin Deplete Kit（登録商標）"、日本バイオ・ラッド社：AffiGel Blueゲル（登録商標））、高分子量成分を遠心分離ろ過によって分画する遠心管形式の装置（たとえば、日本ミリポア社："アミコンウルトラ（登録商標）"）、特表２００２−５４２１６３号公報（特許文献１）に開示されている電気泳動原理によって分画する方法（たとえば、グラディポア社："Gradiflow（登録商標）"システム）、Cohnのエタノール沈澱などの伝統的な沈殿法やクロマトグラフィーによって分画する方法（例えば非特許文献２）などがある。
【００１１】
しかしこれらは、いずれも分離分画性能が十分ではなかったり、微量サンプルには不適当であったり、サンプルが希釈されてしまったり、あるいは質量分析等に障害となる薬剤が混入したりするなどの問題点がある。
【００１２】
また、人工腎臓、人工肺、血漿分離装置などに使用されている分離膜はその用途に応じて様々な大きさのものが開発され、生体成分との適合性を向上させるような改善もされているが（特許文献２）、臨床プロテオームが抱えている問題の解決を示唆するものはない。
【００１３】
これらを解決する溶液の開発により、医学研究ならびに臨床現場でプロテオーム解析が広く行われるようになり、より迅速で高精度な検査や診断が可能となって、有用な治療法がない難治性の疾患の原因究明や早期の診断法の開発には強力なツールとなると期待できる。
【特許文献１】特表２００２−５４２１６３号公報
【特許文献２】特許３２９７７０７号明細書
【非特許文献１】アンダーソン・ＮＬ(Anderson NL),アンダーソン・ＮＧ( Anderson, NG)著，「ザ・ヒューマン・プラズマ・プロテオーム：ヒストリー・キャラクター・アンド・ダイアグノスティック・プロスペクツ(The human plasma proteome: history, character, and diagnostic prospects)」，モレキュラー・アンド・セルラー・プロテオミクス(Molecular & Cellular Proteomics)，（米国），ザ・アメリカン・ソサエティー・フォー・バイオケミストリー・アンド・モレキュラー・バイオロジー・インコーポレーテッド(The American Society for Biochemistry and Molecular Biology, Inc.),２００２年，第１巻，p845-867.
【非特許文献２】日本生化学会編，「新生化学実験講座（第１巻）タンパク質(1)分離・精製・性質」, 東京化学同人, 1990年
【発明の開示】
【発明が解決しようとする課題】
【００１４】
上述のとおり、臨床プロテオーム解析をする際に、妨害となる過剰な高分子量のタンパク質を除去することが必要である。
【００１５】
極最近でも、Affi-Gel Blueゲルを用いた方法（N. Ahmed et al., Proteomics, On-line版, 2003/06/23）や"Gradiflow"システムを用いた方法（D. L. Rothemund et al. (2003), Proteomics, vol. 3, pp279-287）などが有効な改良されたアルブミン除去法として発表されて程度であり、より多くの情報を得るための分析用溶液はない。こらは、本発明が解決しようとする課題である。
【課題を解決するための手段】
【００１６】
本発明に係る溶液は以下のような構成をとる。
（ａ）  下記濃度式を満たす組成である生体成分精製溶液。
【００１７】
β２−ミクログロブリン濃度(mg/l)／アルブミン濃度(mg/l)＞０．０００３
（ｂ）  β２−ミクログロブリン量が０．１μｇ以上である上記（ａ）記載の生体成分精製溶液。
（ｃ）  血液を原液として精製された上記（ａ）記載の生体成分精製溶液。
（ｄ）  生体由来の溶液を原液として精製された上記（ａ）記載の生体成分精製溶液。
（ｅ）  タンパク質分析用に用いられる上記（ａ）〜（ｄ）のいずれかに記載の生体成分精製溶液。
（ｆ）  タンパク質分析が質量分析、電気泳動、液体クロマトグラフィーである上記（ａ）〜（ｅ）のいずれかに記載の生体成分精製溶液。
（ｇ）  膜分離を含むシステムを用いて精製された上記（ａ）〜（ｆ）のいずれかに記載の生体成分精製溶液。
（ｈ）  プロテオーム解析用である上記（ａ）〜（ｇ）のいずれかに記載の生体成分精製溶液。
【発明の効果】
【００１８】
本発明における分析用溶液によって、特に血漿をはじめとする生体成分から従来検出されなかった微量のタンパク質を数多く検出することが可能となる。
【００１９】
本発明者らは、分析には、β２−ミクログロブリン濃度(mg/l)／アルブミン濃度(mg/l)＞０．０００３の溶液を用いることが好ましいことを見出した。
【発明を実施するための最良の形態】
【００２０】
本発明で言う「分析用溶液」とはタンパク分析に用いられる溶液のことであり、分析としては特に限定しないがLCや2D-PAGE、核磁気共鳴(NMR)、MALDI-TOF-MSやESI-MS等を例示することができる。これらは、アルブミンが大量に含まれていることによって、分析感度が低くなる分析方法であり、本溶液を用いることによって、高感度分析が可能となる。
β２−ミクログロブリンは分子量１万強のタンパク質である。「アルブミン」とはヒト、ウシ、その他哺乳動物及び鳥類由来のアルブミンのことをいう。本発明はβ２−ミクログロブリンとアルブミンを指標とした特定の構成を有する分析用液がタンパク質の分析として優れた特性を示すことを発見したものである。具体的にはβ２−ミクログロブリン／アルブミン溶液濃度比が高くなるということは、分子量１万付近の微量タンパク質も高濃度に濃縮され、非常に多くのタンパク質情報を得ることが可能となる。このため、β２−ミクログロブリン濃度(mg/l)／アルブミン濃度(mg/l)＞０．０００３の溶液を用いることが好ましく、さらに、β２−ミクログロブリン濃度(mg/l)／アルブミン濃度(mg/l)＞０．００１、最も好ましくはβ２−ミクログロブリン濃度(mg/l)／アルブミン濃度(mg/l)＞０．０１である。なお、β２−ミクログロブリン／アルブミン溶液濃度比の上限は特定されるものではないが、１００＞β２−ミクログロブリン濃度(mg/l)／アルブミン濃度(mg/l)であることが好ましく、したがって、１００＞β２−ミクログロブリン濃度(mg/l)／アルブミン濃度(mg/l)＞０．０００３であるのがよい。
【００２１】
「血液」とはヒトなどの動物血液のことであり、血清、血漿など血液中の一部の成分からなる溶液も含まれる。「生体由来の溶液」とは血液の他、尿、唾液、涙液、脳脊髄液、腹水、胸水もしくは細胞からのタンパク質抽出液など生体関連の物質でタンパク質を含む溶液のことである。
【００２２】
「原液」とは本発明の溶液を作製するための、原溶液である。
【００２３】
本発明でいう「分離」とは回収目的のタンパク質と廃棄目的のタンパク質を弁別することをいう。主なタンパク質を分離・分画する手法は、濃度差による凝集沈殿法、分子篩い効果、イオン的相互作用、疎水的相互作用、水素結合、アフィニティーによる特異的結合などを利用したクロマトグラフィー、さらに電気泳動などが挙げられる。分離能を上げるためには、一般的には単一の手法では難しく、通常、複数の分離モードを利用して達成される。たとえば、陽イオンクロマトグラフィーと逆相液体クロマトグラフィーの組み合わせや、ゲルろ過とアフィニティークロマトグラフィーの組み合わせ、逆相液体クロマトグラフィーとSDS-PAGEの組み合わせなどである。
【００２４】
「膜」とは多孔性の分離膜のことであり、平面フィルター、カートリッジ式フィルター等の平膜型分離膜（平膜）、中空糸等の中空状分離膜（中空糸膜）のいずれも用いることができるが、一般に、中空糸は処理液量あたりの表面積が大きく、圧損も少ないため、最も効率よく用いることができる。また、平面フィルターは製膜が容易で安価に作成することができるという利点がある。膜素材としては、セルロース、セルロースアセテート、ポリカーボネート、ポリスルホン、ポリメチルメタクリレート等のポリメタクリレート、ポリアクリレート、ポリアミド、ポリ弗化ビニリデン、ポリアクリロニトリル、ポリエステル、ポリウレタン、ポリスチレン、ポリエチレンおよびポリプロピレン及びこれらからなる群より１種類以上選択される素材を例示することができる。この中でも近年透析器などに良く用いられているポリスルホンは分画特性が良好であるために好ましい素材である。
「膜分離を含むシステム」とは膜を用いて血液などの原液を分画する膜分画工程を含むシステムのことである。本発明の溶液を得るためには少なくともこの工程を含むことが好ましい。またこの他にもアルブミン以上の分子量であるタンパク質を吸着する工程でも本発明の溶液を得ることは可能であるが、非常に高い吸着能力を持ち安価で、供給することが要求されるため、膜分離を含むシステムもしくは膜分離と吸着を組み合わせたシステムの方が好ましい。
【００２５】
また、必要に応じて上記の工程から得られる液から水分を取り除きタンパク質を濃縮する工程もシステムに含んでいることが好ましい。本発明では分画、吸着、濃縮の各工程の少なくとも２つ以上の機能を必要とし、単独で処理を行い組み合わせることも可能であるが、各工程に適切なフィルターあるいは中空糸モジュールを配置し、これらを連結することによって、簡便なタンパク質分画デバイス装置を完成させることも可能である。
【００２６】
本発明の溶液を得るためには特に中空糸モジュールを用いることが好ましい。中空糸はタンパク質関係では従来より人工腎臓（透析モジュール）として多く利用されているが、いずれもアルブミン等のタンパク質を漏れさせないように保持され、クレアチニンや尿素などの低分子成分を漏出させて中空糸内腔側を流れる血液を浄化する目的で使用される。一方、本発明においては、中空糸内腔側から漏出する画分を分析のために収集する方法で用い、中空糸内腔側にはアルブミン等の高分子量成分を保持しながら、主に分子量5kDa以下のタンパク質成分を漏出させる方法を取る。このような、目的と手法で中空糸を分画デバイスとして用いるのは、本発明で初めて達成された。特に中空糸は表面積が大きく、操作上の圧損が少ないため、効率よく本発明を実施することができる。
【００２７】
本発明のデバイスの概念図は後述する図１のとおりであり、実際の構成は以下のとおりである。
（１）分画工程
「分画工程」とは水溶液中のアルブミン以上の分子量であるタンパク質を分画する工程を意味する。ここでいう「分画」とは分子量によりタンパク質を弁別することをいう。本工程では、平面フィルターあるいは中空糸モジュールの膜に分子篩い効果を有する多孔性膜を用い、分離ふるいによる分子分画を行う。特に中空糸を用いることは分画膜表面積が極めて大きくなるため、有効である。
【００２８】
本発明で用いる膜の素材は特に限定しないが、セルロース、セルロースアセテート、ポリカーボネート、ポリスルホン、ポリメチルメタクリレート等のポリメタクリレート、ポリアクリレート、ポリアミド、ポリ弗化ビニリデン、ポリアクリロニトリル、ポリエステル、ポリウレタン、ポリスチレン、ポリエチレンおよびポリプロピレンからなる群より１種類以上選択される高分子を含む素材が使用される。膜構造に関しては、均一構造に近いスポンジ構造を有するものや、緻密層と空隙率が高く膜強度を維持する支持層の二層構造からなるもののいずれも用いることができる。
【００２９】
親水性膜では、親水性の単量体と疎水性の単量体を共重合させたものや、親水性の高分子と疎水性の高分子をブレンド製膜したもの、あるいは疎水性の高分子からなる膜の表面に親水性ポリマーを結合、付着させたもの、疎水性の高分子からなる膜の表面を化学処理、プラズマ処理、放射線処理したものなどがあげられるが、親水化されていればその方法は特に限定されない。親水性成分は特に限定しないが、ポリエチレングリコールなどのポリアルキレンオキサイド、ポリビニルピロリドン、ポリビニルアルコール、ポリヒドロキシエチルメタクリレート、ポリアクリルアミドなどの親水性高分子が好ましい。これらの親水性膜は必要とするタンパク質の吸着を抑え、無駄なく回収する効果がある。
【００３０】
さらには、ポリエチレンイミン、アミノメチルピリジン、ポリフェノール、ブルー色素、２価金属イオン（Zn2+, Ni2+, Co2+, Cu2+等）、疎水性化合物（メチル基、ベンジル基、フェニル基、クロロメチル基、オクチル基、ラウリル基等）などのうち、少なくともいずれかひとつ以上を固定化した素材を用いることもできる。
【００３１】
膜の分子分画性能に関しては、生理的食塩水中でアルブミンを通過させない程度の分子分画能（カットオフ値：30〜50kDa以下）を用いる。
（２）吸着工程
「吸着工程」とは水溶液中のアルブミンより分子量が大きいタンパク質を吸着する工程を意味する。ここでいう「吸着」とは水溶液中に可溶化しているタンパク質が膜との相互作用により捕捉されることをいう。本工程では、平面フィルターあるいは中空糸モジュールの膜に疎水的性質を保有させ、アルブミンをはじめとする疎水的なタンパク質を吸着させることを指す。
【００３２】
本発明で用いる膜の素材は特に限定しないが、セルロース、セルロースアセテート、ポリカーボネート、ポリスルホン、ポリメチルメタクリレート等のポリメタクリレート、ポリアクリレート、ポリアミド、ポリ弗化ビニリデン、ポリアクリロニトリル、ポリエステル、ポリウレタン、ポリスチレン、ポリエチレンおよびポリプロピレンからなる群より１種類以上選択される高分子を含むの素材が使用されるのが好ましい。膜構造に関しては、均一構造に近いスポンジ構造を有するものや、緻密層と空隙率が高く膜強度を維持する支持層の二層構造からなるもののいずれも用いることができる。
【００３３】
また素材形態としては、球状ビーズ、繊維等の形態、繊維を編地、不織布、ステープルを用いた平面状の形態、中空糸の形態などが挙げられ、それぞれに表面の凹凸が大きい多孔体形状であることが吸着表面積を増大させる効果のために好ましい。また、平膜や中空糸膜等の分離膜の形態であれば、分離と吸着を同時に達成できるため、特に好ましい。
【００３４】
膜基材自体の特性としては、比選択的タンパク質吸着を抑えるために親水性化されたものや、アルブミン等の高分子量タンパク質を選択的に吸着するために疎水性化されたものが、分画と吸着の各工程に応じて、適宜選択されて使用される。
【００３５】
親水性膜では、親水性の単量体と疎水性の単量体を共重合させたものや、親水性の高分子と疎水性の高分子をブレンド製膜したもの、あるいは疎水性の高分子からなる膜の表面に親水性ポリマーを結合、付着させたもの、疎水性の高分子からなる膜の表面を化学処理、プラズマ処理、放射線処理したものなどがあげられるが、親水化されていればその方法は特に限定されない。親水性成分は特に限定しないが、ポリエチレングリコールなどのポリアルキレンオキサイド、ポリビニルピロリドン、ポリビニルアルコール、ポリヒドロキシエチルメタクリレートなどの親水性高分子が好ましい。疎水性膜では、疎水性成分を混入させたり、疎水性リガンドを膜表面に導入したものが用いられる。疎水性成分としてはメタクリル酸エステル、アクリル酸エステル、エチレン、プロピレン等のオレフィン、アクリロニトリル、メタクリロニトリル等の炭素−炭素二重結合を有する付加重合性化合物からなる重合体や、ポリスルホン、セルロースなどの重合体を例示することができるが、膜素材として用いることができるものであれば特に限定されるものではない。
【００３６】
さらには、ポリエチレンイミン、アミノメチルピリジン、ポリフェノール、ブルー色素、２価金属イオン、疎水性芳香族化合物等のうち、少なくともいずれかひとつ以上を固定化した素材を用いることもできる。
【００３７】
膜の分子分画性能に関しては、生理的食塩水中でアルブミンを通過させない程度の分子分画能（カットオフ値：30〜50kDa以下）を用いる。
【００３８】
この工程で得られた非吸着画分は次の分画工程に供される。疎水的なタンパク質の分離が目的やアルブミンとの相互作用を有するタンパク質を分離する場合には、本工程は省略される。
【００３９】
吸着工程と分画工程では、展開する緩衝液中に、各種の薬剤を加えて、吸着あるいは分画性能を向上させることができる。具体的には、工程に用いる水溶液中に、界面活性剤、乳化剤、有機溶媒、アルコール、エチレングルコール、ポリプロピレングリコール、ポリエチレンイミン、アミノメチルピリジン、硫酸プロタミン、硫酸アンモニウム、ポリフェノール、ブルー色素、カオトロピック塩および疎水性化合物からなる群より１種類以上選択される物質を含むことを特徴とする
たとえば、アルブミンの凝集を促進させる硫酸アンモニウム、ポリエチレングリコール、ポエチレンイミン、カオトロピック塩等を適宜加えることにより、高分子成分のタンパク質の凝集による巨大分子化を促進し、吸着の促進や分画膜からの漏出を抑制し、高分子成分を効率的にカットオフすることができる。一方、分画工程では、界面活性剤（両性界面活性剤や陰イオン性海面活性剤等）を適宜加えることにより、タンパク質間の相互作用を抑制し、分子分画を効率的に行うことができる。
【００４０】
この工程で得られたろ過画分は次の濃縮工程に供される。吸着工程で検体を十分に分離できる場合には、本工程は省略される。
（３）濃縮工程
「濃縮工程」とは水溶液中のタンパク質を濃縮する工程を意味する。ここでいう「濃縮」とは水溶液中から水及び分子量1kDa以下の低分子成分を除去し、残液中のポリペプチド部分が濃縮されることをいう。本工程では、平面フィルターあるいは中空糸モジュールの膜に分子篩い効果を有する多孔性膜を用い、分離ふるいによる濃縮を行う。サンプルが少量の場合には、遠心型のチューブに平面フィルターを貼り付けた濃縮デバイスを、大量のサンプルの場合には、中空糸を用いることが有効である。
【００４１】
本発明で用いる膜の素材は特に限定しないが、セルロース、セルロースアセテート、ポリカーボネート、ポリスルホン、ポリメチルメタクリレート等のポリメタクリレート、ポリアクリレート、ポリアミド、ポリ弗化ビニリデン、ポリアクリロニトリル、ポリエステル、ポリウレタン、ポリスチレン、ポリエチレンおよびポリプロピレンからなる群より１種類以上選ばれる高分子を含む素材が使用される。膜構造に関しては、均一構造に近いスポンジ構造を有するものや、緻密層と空隙率が高く膜強度を維持する支持層の二層構造からなるもののいずれも用いることができる。
【００４２】
膜の分子分画性能に関しては、生理的食塩水中でペプチドを通過させない程度の分子分画能（カットオフ値：0.01〜0.5kDa以下）を有する膜か限外ろ過膜を用いる。
（４）全体の構成ならびに運転条件
各工程は水溶液流路で直結され、連続して稼動できることによって、簡便かつ自動的に連続運転できるという効果が得られるが、必要により、各工程を独立して稼動させてもよい。チューブにはポンプが装着され、ポンプにより送液されるが、小規模の場合にはシリンジによる送液、遠心チューブ型装置による濃縮では、遠心操作で行っても構わない。また、本発明のいう「組み合わされた各工程が、水溶液流路によって直結され、連続して稼働できる」とは、複数の工程が水溶液流路で結ばれた複数の装置で行われていることを意味し、単独で複数の工程を行う装置を複数個水溶液流路によって直結される態様も含む。すなわち、アルブミン以上の分子量であるタンパク質を吸着する工程とアルブミン以上の分子量であるタンパク質を分画する工程を同時に行う第一の中空糸モジュールと、アルブミン以上の分子量であるタンパク質を分画する工程とタンパク質を濃縮する工程を同時に行う第二の中空糸モジュールが水溶液流路で直結されているような態様も含まれる。
【００４３】
上記の（１）〜（３）は単独の工程としても使用することができるが、各工程はそれぞれ異なる処理工程であるため、好ましくは少なくとも２つの工程を組み合わせることによって、より優れた効果を得ることができる。単独あるいは複数工程を用いることの判断は、初段に適用する材料の含まれるタンパク質の組成の程度によって判断される。
【００４４】
本発明は生体成分、特にヒトの血漿、尿、唾液、涙液、脳脊髄液、腹水、胸水等のからの生体分子の分離に適する。上記の各フィルターならびに中空糸モジュールのサイズならびに還流液の流速は、原料とする血漿や尿等の生体材料の質と量に依存して適宜決められるが、いわゆる卓上サイズで実施する場合、血漿では1〜400mL好ましくは5〜100mLで実施され、流速は1〜20mL/min好ましくは2〜10mL/minで行われる。
【００４５】
また、膜分離システムは高速処理が可能であり、所要時間としては、1回の処理時間が1〜6時間以内で、検体のコンタミネーションおよびバイオハザードの防止の点から、一連のデバイスは一回使用とする装置を作製する事が可能である。電気泳動システムや液体クロマトグラフィーを用いる分析では、機器を再使用して用いるため、検体による汚染の危険性や再生した分析カラムによる再現性への影響などが問題となることがあり、操作の煩雑さも含めて必ずしも多数の検体の頻回処理には向いていない。本発明になるタンパク質分画デバイスはディスポーザブル仕様が可能であり、検体からの汚染の回避や分析の再現性の確保の点からも大きな利点である。
【００４６】
このようにして得られた分析検体は、液体クロマトグラフ、電気泳動、MS等の各種のタンパク質分析に有用であるが、特に好ましくはMS、電気泳動を用いたプロテオーム解析に有用である。  本装置が直接あるいは間接的に連結できるMSは特に限定されないが、好ましくは、電子スプレーイオン化型、大気圧イオン化型、四重極(QQQ)型、磁気セクター型、飛行時間型、MS／MS、MSｎ、FT-MS型、イオン捕捉型およびこれらの組合せ型のものである。また、MS／MSまたはMSｎ（例えばMS３）のようなタンデムMSを含む。タンデムMSの場合は、全てのタイプのMSが適用可能であるが、特にイオン捕捉、四重極−飛行時間（Q-TOF）、FT-MS、および四重極およびイオン捕捉とのセクター機器の組合せを使用することが効率がよい。これにより、MS／MSおよび／またはMSｎ測定において生じるピークの選択的な検出が可能となる。
【００４７】
本装置との組み合わせによる分析により、各種微量タンパク質成分の構造情報を集めることができるが、それらはペプチド・マスフィンガープリント(peptide-mass fingerprint: PMF)のみならず、各ペプチドの一次構造情報（アミノ酸配列）も含まれる。
【００４８】
以下、本発明の溶液得るための一態様例につき、図を用いながら説明する。
【００４９】
図１は、本発明のタンパク質分画装置の概念図である（吸着、分画、濃縮の３工程の例）。図１中、液の流れを矢印で示してある。図１において、血清などの材料の検体はバルブ１から第１工程のモジュール５に注入され、溶液循環回路（チューブ）２の中をポンプ３によって送液せられ、循環する。第１工程で処理された回収液は、回収口４から得られる。この態様が１工程の単位であり、２工程では２段の繰り返しが、３工程では３段繰り返えすことになる。図１は３段の例を示しており、第２工程のモジュール６と第３工程のモジュール７が連結されている。処理された回収液は、回収口に直結されたチューブによって次工程のモジュールに注入される。分画と吸着工程の場合の処理液は回収口から、濃縮工程の場合の処理液は工程のモジュール内から回収される。
【実施例】
【００５０】
以下、実施例にて本発明を詳細に説明するが、本発明の範囲がこれらの実施例にのみ限定されるものではない。
（２次元電気泳動によるタンパク質分析）
得られた生体成分精製溶液を２次元電気泳動法によって分析した。方法は次の通りである。
１．生体成分精製溶液に80%ショ糖溶液を等量加え、泳動用サンプルとする。
２．市販の等電点電気泳動用ゲルであるIEF-PAGEmini  pH3-10  1mm厚(TEFCO製)を泳動槽にセットする。
３．上部バッファー(0.05M 水酸化ナトリウム)200mlと下部バッファー(0.01M リン酸)500mlを入れる。
４．上部バッファーで各ウエルを洗浄し、10%ショ糖溶液を20ulのせる。
５．ウエルに入れたショ糖溶液の下に１．で調整したサンプルをおく。
６．泳動槽にカバーをし電源につなぎ、100Vで30分、200Vで30分、さらに500Vで60分泳動する。
７．ゲルカセットからゲルを取り出し、40%酢酸水溶液に浸け、30分振とうする。
８．クマシーブリリアントブルー染色液（CBB染色）にて5分染色し、脱色液(10%メタノール、7.5%酢酸)にて脱色しバンドを確認し、水を換えながら30分以上水洗する。
９．ゲルを１レーン分切り出す。
１０．切り出したゲル片をSDS-PAGE用泳動バッファーに10-20分浸し平衡化させる。
１１．市販のSDS-PAGE用ゲルであるSDS-PAGEmini  4-20% 1.5mm厚 2-Dwell(TEFCO製)を泳動槽にセットする。
１２．泳動バッファーを入れ、泳動バッファーでウエルを洗浄する。
１３．９．のゲル片を、２次元目のSDS-PAGEminiのウエルに気泡が入らないように注意しながら移す。小さいウエルには市販の分子量マーカーであるレインボーマーカー（アマシャム）を1ulのせる。
１４．1%アガロース／泳動バッファーでゲルを封入する。
１５．泳動槽にカバーをし電源につなぎ、15mAで120分程度（ブロモフェノールブルーがゲルの下端まで移動するまで）泳動する。
１６．ゲルカセットからゲルを取り出し、CBB染色、銀染色を行う。銀染色は、市販のキットである銀染色IIキットワコー（和光純薬）を使用する。
【００５１】
（実施例１）
ポリスルホン中空糸100本を束ね、中空糸中空部を閉塞しないようにエポキシ系ポッティング剤で両末端をガラス管モジュールケースに固定し、ミニモジュールを作成した。該ミニモジュールの直径は約7mm、長さは約17cmであり、一般的な中空糸膜型透析器同様に透析液ポートを２個有している。該ミニモジュールの中空糸およびモジュール内部を蒸留水にて洗浄した。
【００５２】
その後、PBS（日水製薬社製ダルベッコPBS（−））水溶液を充填し、中空糸膜ミニモジュール（以降、ミニモジュール１と略す）を得た。ヒト血清（SIGMA社  H1388、  Lot 28H8550）を3000rpm15分の条件にて遠心処理を行い沈殿物を取り除いた後0.45μｍのフィルター処理を行った。ミニモジュール１の透析液側の一方をキャップし、一方はシリコーンチューブをつなぎ、ペリスターポンプに接続した。中空糸膜内側の液は入口と出口をシリコーンチューブでつなぎ、ペリスターポンプを用いて血清を循環できるようにした。4mlの血清を用いて循環流量5ml/min、濾過流量0.2mL/minの流速で20℃、4時間濾過を実施した（本工程は、主にアルブミン以上の分子量であるタンパク質を分画する工程に相当する）。
【００５３】
この時濾過された容量分はPBSを血清に加えて循環する液量は一定に保った。4時間で得た濾液中のアルブミン濃度は61mg/l、α１−ミクログロブリン濃度は0.4mg/l、β２ミクログロブリン濃度は0.066mg/Lであった。得られた濾液を使用したヒト血清中のアルブミン濃度に33000mg/Lまでザルトリウス社製vivaspin20（3000MWCOタイプ）を用いて濃縮したところ（本工程は、主にタンパク質を濃縮する工程に相当する）、α１−ミクログロブリン濃度は216.4mg/L、β２−ミクログロブリン濃度は35.7mg/Lであり、ヒト血清中のα１−ミクログロブリン濃度は16.5mg/L、β２−ミクログロブリン濃度は1.17mg/Lに対して大幅に濃縮されていた。
【００５４】
β２−ミクログロブリン／アルブミン比率は０．００１０８であった。
【００５５】
（実施例２）
ポリスルホン（テイジンアモコ社製ユーデル（登録商標）P-3500）１８重量部およびポリビニルピロリドン（BASF社製K30）９重量部をＮ，Ｎ'−ジメチルアセトアミド72重量部および水1重量部の混合溶媒に加え、90℃で14時間加熱して溶解し、製膜原液を得た。
【００５６】
この製膜原液を外径0.3mm、内径0.2mmのオリフィス型二重円筒型口金の外側の管より吐出した。芯液としてＮ，Ｎ'−ジメチルアセトアミド58重量部および水42重量部からなる溶液を内側の管より吐出した。吐出された製膜原液は、乾式長350mmを通過した後、水100％の凝固浴に導かれ、中空糸が得られた。得られた中空糸を10000本、透析液入口および透析液出口を有する円筒状のプラスチックケースに挿入し、両端部を樹脂で封止して、有効膜面積1.6m2の中空糸膜モジュールを作成した。
【００５７】
カチオン性親水性高分子としてポリエチレンイミン（BASF社製、重量平均分子量100万）0.1重量％を含む水溶液を、この中空糸膜モジュールの中空糸膜内面側および外面側に、それぞれ1000mL通液し、モジュール内を該水溶液で充填した。この後、該モジュールにγ線照射した。γ線吸収線量は27kGyであった。該モジュールの中空糸を切り出し、100本束ね、中空糸中空部を閉塞しないようにエポキシ系ポッティング剤で両末端をガラス管モジュールケースに固定し、ミニモジュールを作成した。該ミニモジュールの直径は約7mm、長さは約17cmであり、一般的な中空糸膜型透析器同様に透析液ポートを２個有している。中空糸およびモジュール内部を蒸留水にて洗浄した。その後、PBS（日水製薬社製ダルベッコPBS（−））水溶液を充填し、ポリエチレンイミン固定化中空糸膜ミニモジュール（以降ミニモジュール２と略す）を得た。
【００５８】
ヒト血清（SIGMA社、H1388、  Lot 28H8550）を3000rpm、15分の条件にて遠心処理を行い濾液および沈殿物を取り除いた後0.45μｍのフィルター処理を行った。まず、実施例１と同じ中空糸膜ミニモジュール（ミニモジュール１）を準備し、透析液側の一方をキャップし、一方はシリコーンチューブをつないだ。中空糸膜内側の液は入口と出口をシリコーンチューブでつなぎ、ペリスターポンプを用いて血清を循環できるようにした。
【００５９】
さらに、ミニモジュール２も透析液側の一方をキャップし、一方はシリコーンチューブをつなぎ、ペリスターポンプに接続した。中空糸膜内側の液は入口と出口およびミニモジュールの透析液側をシリコーンチューブでつなぎ、PBSを充填し、ペリスターポンプを用いて液を循環できるような、ミニモジュールが２段直列につながったシステムを作成した。ここで、ミニモジュール１がアルブミン以上の分子量であるタンパク質を分画する工程、ミニモジュール２がアルブミン以上の分子量であるタンパク質を吸着する工程と、アルブミン以上の分子量であるタンパク質を分画する工程に相当する。
【００６０】
血清およびミニモジュール２の循環液の循環流量5mL/min、濾過流量0.2mL/minの流速で20℃、4時間濾過を実施した。この時濾過された容量分はPBSを血清に加えて循環する液量は一定に保った。4時間で得た濾液中のアルブミン濃度は0.62mg/L、α１−ミクログロブリン濃度は0.036mg/L、β２−ミクログロブリン濃度は0.05mg/Lであった。得られた濾液を使用したヒト血清中のアルブミン濃度に33000mg/Lまでザルトリウス社製vivaspin20（3000MWCOタイプ）を用いて濃縮したところ、α１−ミクログロブリン濃度は1916mg/L、β２−ミクログロブリン濃度は2661mg/Lであり、ヒト血清中のα１−ミクログロブリン濃度は16.5mg/L、β２−ミクログロブリン濃度は1.17mg/Lに対して大幅に濃縮されていた。β２−ミクログロブリン／アルブミン比率は０．０８０６であった。このサンプルを２次元電気泳動にて分析した結果を図２に示す。
【００６１】
図２は、実施例２で得られた生体成分精製溶液の２次元電気泳動写真である。図２から判るように、分子量６万未満の場所に多くの独立したスポットが見られる。
【００６２】
本溶液デバイスによって精製したサンプルは低分子量領域に数多くのスポットを得ることが出来た。
（比較例１）
ヒト血清を比較サンプルとして２次元電気泳動分析を行った。結果を図３（030829 2D-PAGEデジカメfile）に示す。図３はヒト血清を溶液とした２次元電気泳動写真である。図３ではスポットがブロードであり、物質を特定することができない。したがって、低分子量領域でのスポットはほとんど観察されない。
【図面の簡単な説明】
【００６３】
【図１】本発明のタンパク質分画装置の概念図である。
【図２】実施例２で得られた生体成分精製溶液の２次元電気泳動写真である。
【図３】ヒト血清を溶液とした２次元電気泳動写真である。
【符号の説明】
【００６４】
１  バルブ
２  溶液循環回路（チューブ回路）
３  ポンプ
４  処理液回収口
５  第１工程モジュール
６  第２工程モジュール
７  第３工程モジュール
【図１】
2005126376.tif 000002
【図２】
2005126376.tif 000003
【図３】
2005126376.tif 000004